(57)【要約】【課題】    帽体本体折り畳み体の開き作業が容易となる折り畳み式帽体を提供する。【解決手段】  シート１の両側がそれぞれ折り曲げられ、それぞれの折り曲げ部１ａの間に伸縮弾性体２が伸張状態で挿入されると共に該折り曲げ部１ａの間に一体に固定されて帽体裾部３が構成され、これら帽体裾部３間のシート１の部分が該帽体裾部３に平行にジグザグに折り畳まれて帽体本体折り畳み体４が構成され、該帽体本体折り畳み体４の長手方向の両端が接着されて接着部５がそれぞれ構成され、前記帽体本体折り畳み体４が、該帽体本体折り畳み体４の折り畳み方向に直交する方向にジグザグに折り畳まれてその折り畳み状態が伸縮弾性体２の収縮により保持されている折り畳み式帽体において、前記各帽体裾部３の長手方向の途中に摘み片７をそれぞれ帽体本体折り畳み体４の外方向に突出するように設けた。【選択図】    図１
2005290594.tif 000002
【特許請求の範囲】
【請求項１】
シートの両側がそれぞれ折り曲げられ、それぞれの折り曲げ部の間に伸縮弾性体が伸張状態で挿入されると共に該折り曲げ部の間に一体に固定されて帽体裾部が構成され、これら帽体裾部間のシートの部分が該帽体裾部に平行にジグザグに折り畳まれて帽体本体折り畳み体が構成され、該帽体本体折り畳み体の長手方向の両端が接着されて接着部がそれぞれ構成され、前記帽体本体折り畳み体が、該帽体本体折り畳み体の折り畳み方向に直交する方向にジグザグに折り畳まれてその折り畳み状態が伸縮弾性体の収縮により保持されている折り畳み式帽体において、
前記各帽体裾部の長手方向の途中に摘み片がそれぞれ帽体本体折り畳み体の外方向に突出するように設けられていることを特徴とする折り畳み式帽体。
【請求項２】
前記各接着部の先端部における両端の角部が丸められていることを特徴とする請求項１に記載の折り畳み式帽体。
【請求項３】
前記各接着部にはそれぞれ貫通孔が開けられていることを特徴とする請求項１または２に記載の折り畳み式帽体。
【発明の詳細な説明】
【技術分野】
【０００１】
本発明は、折り畳まれていて、広げることによりキャップ状になる折り畳み式帽体に関するものである。
【背景技術】
【０００２】
従来、この種の折り畳み式帽体として、図８に示すように、例えば、スパンボンド不織布やメルトブロー不織布等よりなる防塵性、通気性並びに強度特性に優れたシート１の両側がそれぞれ折り曲げられ、それぞれの折り曲げ部１ａの間にゴム等の伸縮弾性体２が伸張状態で挿入されると共に該折り曲げ部１ａの間に該シート１の熱融着等により接着され一体に固定されて帽体裾部３が構成され、これら帽体裾部３間のシート１の部分が該帽体裾部３に平行にジグザグに折り畳まれて帽体本体折り畳み体４が構成され、該帽体本体折り畳み体４の長手方向の両端が熱融着等により背着されて図９に示すように接着部５がそれぞれ構成され、該帽体本体折り畳み体４が、該帽体本体折り畳み体４の折り畳み方向に直交する方向にジグザグに折り畳まれてその折り畳み状態が伸縮弾性体２の収縮により保持されて構成されたものが知られている（例えば、特許文献１参照。）。
【０００３】
このような折り畳み式帽体は、図９に示すように帽体本体折り畳み体４を矢印で示すように互いに離反する方向に開くことにより、該帽体本体折り畳み体４が図１０に示すようにキャップ状に広がり、作業者等の頭に被せることができるようになる。
【特許文献１】特開２００１−１１７２５号公報
【発明の開示】
【発明が解決しようとする課題】
【０００４】
しかしながら、このような構造の折り畳み式帽体では、図９に示すような帽体本体折り畳み体４を矢印で示すように互いに離反する方向に開く際に、開き作業が行い難いといった問題点があった。
【０００５】
また、このような構造の折り畳み式帽体では、図９に示すように融着部５の先端部における両端の角部５ａが直角に尖っていたので、被る人の肌を傷めるおそれがあるといった問題点があった。
【０００６】
さらに、このような構造の折り畳み式帽体では、陳列、整理等の取り扱いに難があるといった問題点があった。
【０００７】
本発明の目的は、帽体本体折り畳み体の開き作業が容易となる折り畳み式帽体を提供することにある。  
本発明の他の目的は、被る人の肌を傷めるのを防止できる折り畳み式帽体を提供することにある。  
本発明の他の目的は、陳列、整理等の取り扱いが容易な折り畳み式帽体を提供することにある。
【課題を解決するための手段】
【０００８】
上記の目的を達成する構成を示すと、下記の通りである。  
請求項１に記載の発明は、シートの両側がそれぞれ折り曲げられ、それぞれの折り曲げ部の間に伸縮弾性体が伸張状態で挿入されると共に該折り曲げ部の間に一体に固定されて帽体裾部が構成され、これら帽体裾部間のシートの部分が該帽体裾部に平行にジグザグに折り畳まれて帽体本体折り畳み体が構成され、該帽体本体折り畳み体の長手方向の両端が接着されて接着部がそれぞれ構成され、前記帽体本体折り畳み体が、該帽体本体折り畳み体の折り畳み方向に直交する方向にジグザグに折り畳まれてその折り畳み状態が伸縮弾性体の収縮により保持されている折り畳み式帽体において、前記各帽体裾部の長手方向の途中に摘み片がそれぞれ帽体本体折り畳み体の外方向に突出するように設けられていることを特徴とする。
【０００９】
請求項２に記載の発明は、請求項１において、前記各接着部の先端部における両端の角部が丸められていることを特徴とする。
【００１０】
請求項３に記載の発明は、請求項１または２において、前記各接着部にはそれぞれ貫通孔が開けられていることを特徴とする。
【発明の効果】
【００１１】
請求項１に記載の折り畳み式帽体では、各帽体裾部の長手方向の途中に摘み片がそれぞれ同方向に突設されているので、これら摘み片を摘んで互いに離反向に引くことにより、容易に帽体本体折り畳み体をキャップ状に容易に広げることができる。
【００１２】
請求項２に記載の折り畳み式帽体では、各接着部の先端部における両端の角部が丸められているので、被る人の肌を傷めるのを防止することができる。
【００１３】
請求項３に記載の折り畳み式帽体では、各接着部にはそれぞれ貫通孔が開けられているので、この貫通孔を利用して束ねることができ、陳列、整理等の取り扱いが容易となる。
【発明を実施するための最良の形態】
【００１４】
以下、本発明に係る折り畳み式帽体を実施するための最良の形態における一例を図１乃至図７を参照して詳細に説明する。図１は本例の折り畳み式帽体を示す斜視図、図２は図１の折り畳み式帽体を展開した状態のシートを示す平面図、図３、図４は図２のシートの他例を示す要部平面図、図５は図２に示すシートをジグザクに折り畳んだ状態の帽体本体折り畳み体を示す斜視図、図６は図５のＸ−Ｘ線断面図、図７は図５及び図６に示す帽体本体折り畳み体の長手方向両端を接着した状態を示す斜視図である。なお、前述した図８乃至図１０と対応する部分には、同一符号を付けて示している。
【００１５】
本例の折り畳み式帽体の構造を、その製造工程と共に説明する。  
図１に示折り畳み式帽体を展開した状態のシート１は、図２に示すように、適宜大きさの四角形に形成されたシート１の両側のほぼ中央部に、該シート１の両側辺から外側に突出するように摘み片７がそれぞれ設けられている。
【００１６】
前記シート１にあっては、不織布、織布、紙等、特に限定されるものではないが、防塵性、通気性並びに強度特性に優れたシートであることが好ましい。本例ではメルトブロー不織布が使用されている。
【００１７】
前記シート１の両側のほぼ中央部に、該シート１の両側辺から外側に突出するように設けられている摘み片７は、該シート１を折り畳んで後述する帽体本体折り畳み体を形成したとき、帽体本体折り畳み体から外側へ突出するようになっていおり、この突出した摘み片７が摘み易いものであれば、その形状や大きさ、またシート１の両側辺から外側への突出長は特に限定されない。
【００１８】
また、前記摘み片７は、本例ではシート１の両側辺の一部を外側に突出するように延長して一体に形成しているがこれに限定されない。例えば、図３に示すように、シート１の両側に、摘み片７を熱融着あるいは接着剤等により接着して設けてもよく、また、図４に示すように、シート１の両側に切り込みを入れ、切り込みで囲まれた部分を折り返しシート１の両側辺から外側に突出させて摘み片７としてもよい。
【００１９】
前記のように構成されたシート１の両側は、図５及び図６に示すようにそれぞれ折り曲げ、それぞれの折り曲げ部８の間に、ゴムを熱可塑性樹脂で被覆した伸縮弾性体２を張力を与えて伸張状態で挿入すると共に該折り曲げ部８の間に該折り曲げ部８の熱融着により接着し一体に固定して帽体裾部３をそれぞれ構成している。
【００２０】
これら帽体裾部３間のシート１の部分が、図５及び図６に示すように該帽体裾部３に平行にジグザグに折り畳まれて帽体本体折り畳み体４を構成している。このとき、前記該シート１の両側辺から外側に突出するように設けられている摘み片７が、帽体本体折り畳み体４から外側へ突出するようにする。
【００２１】
前記のようにして折り畳んだ帽体本体折り畳み体４の長手方向の両端を熱融着により接着して、図７に示すように接着部５をそれぞれ構成している。
【００２２】
各接着部５の先端部における両端の角部は、図７に示すように丸めて丸め部５ｂを形成している。この丸め部５ｂは、接着部５の先端部が被る人の肌を傷めるのを防止できるものであれば、その形状は特に限定されない。また、各接着部５には、それぞれ貫通孔９を開けている。前記のようにして構成された帽体本体折り畳み体４を、該帽体本体折り畳み体４の折り畳み方向に直交する方向にジグザグに折り畳んで折癖をつけ、その折り畳み状態を伸縮弾性体２の収縮により保持させる。
【００２３】
このような折り畳み式帽体は図１に示すように、各帽体裾部３の長手方向の途中に摘み片７がそれぞれ外方向に突設され、各接着部５の先端部における両端の角部が丸められて丸め部５ｂが形成され、且つ各接着部５にそれぞれ貫通孔９が開けられた構造になっている。
【００２４】
このような折り畳み式帽体では、各帽体裾部３の長手方向の途中に摘み片７がそれぞれ外方向に突設されているので、これら摘み片７を摘んで互いに離反方向に引くことにより、容易に帽体本体折り畳み体４をキャップ状に広げることができる。
【００２５】
また、各接着部５の先端部における両端の角部を丸めて丸め部５ｂを形成しているので、被る人の肌を傷めるのを防止することができる。
【００２６】
さらに、各接着部５にはそれぞれ貫通孔９が開けられているので、この貫通孔９を利用することにより、この貫通孔９を利用して束ねることができ、陳列、整理等の取り扱いが容易となる。
【図面の簡単な説明】
【００２７】
【図１】本発明に係る折り畳み式帽体を実施した最良の形態の一例を示す示す斜視図である。
【図２】図１の折り畳み式帽体を展開した状態のシートを示す平面図である。
【図３】図２のシートの他例を示す要部平面図である。
【図４】図２のシートの他例を示す要部平面図である。
【図５】図２に示すシートをジグザクに折り畳んだ状態の帽体本体折り畳み体を示す斜視図である。
【図６】図５のＸ−Ｘ線断面図である。
【図７】図５及び図６に示す帽体本体折り畳み体の長手方向両端を接着した状態を示す斜視図である。
【図８】従来の折り畳み式帽体でシートをジグザクに折り畳んだ状態の斜視図である。
【図９】従来の折り畳み式帽体の斜視図である。
【図１０】従来の折り畳み式帽体を開いてキャップ状にした状態を示す斜視図である。
【符号の説明】
【００２８】
１  シート
１ａ  折り曲げ部
２  伸縮弾性体
３  帽体裾部
４  帽体本体折り畳み体
５  接着部
５ａ  角部
５ｂ  丸め部
７  摘み片
８  折り曲げ部
９  貫通孔
【図１】
2005290594.tif 000003
【図２】
2005290594.tif 000004
【図３】
2005290594.tif 000005
【図４】
2005290594.tif 000006
【図５】
2005290594.tif 000007
【図６】
2005290594.tif 000008
【図７】
2005290594.tif 000009
【図８】
2005290594.tif 000010
【図９】
2005290594.tif 000011
【図１０】
2005290594.tif 000012